【手続補正書】
【提出日】平成23年3月29日(2011.3.29)
【手続補正１】
【補正対象書類名】特許請求の範囲
【補正対象項目名】全文
【補正方法】変更
【補正の内容】
【特許請求の範囲】
【請求項１】
第１の無彩色インクおよび前記第１の無彩色インクとは異なる第２の無彩色インクを吐出可能な記録ヘッドを用いて、記録媒体の単位領域に対する複数回の走査中に画像を記録するインクジェット記録方法であって、
画像を記録するためのモードに関する情報を取得する取得工程と、
前記取得工程において取得した前記情報に基づき、インク色毎に、前記単位領域に記録すべき画像データから前記複数回の走査に対応した複数のデータを生成するための複数のマスクパターンを設定する設定工程と、
を有し、
前記設定工程において、前記モードがカラーモードである場合、前記複数回の走査の各々において、前記第１の無彩色インクに対応する画像データに設定される前記マスクパターンは、前記第２の無彩色インクに対応する画像データに設定される前記マスクパターンと記録許容画素の配置が同じであり、前記モードがモノクロモードである場合、前記複数回の走査のうち所定の走査において、前記第１の無彩色インクに対応する画像データに設定される前記マスクパターンは、前記第２の無彩色インクに対応する画像データに設定される前記マスクパターンと前記記録許容画素の配置が異なることを特徴とするインクジェット記録方法。
【請求項２】
前記モードがモノクロモードである場合、前記所定の走査において、前記第１の無彩色インクに対応する画像データに設定される前記マスクパターンの前記記録許容画素の配置は、前記第２の無彩色インクに対応する画像データに設定される前記マスクパターンの前記記録許容画素の配置と排他の関係にあることを特徴とする請求項１に記載のインクジェット記録方法。
【請求項３】
前記モードがモノクロモードである場合、前記所定の走査において、前記第１の無彩色インクに対応する画像データに設定される前記マスクパターンと、前記第２の無彩色インクに対応する画像データに設定される前記マスクパターンとの論理積によって得られる記録許容画素の配列パターンは、高周波数成分よりも低周波数成分が少ない特性を有することを特徴とする請求項１に記載のインクジェット記録方法。
【請求項４】
前記所定の走査は、前記複数回の走査の全ての走査であることを特徴とする請求項１乃至３のいずれか１項に記載のインクジェット記録方法。
【請求項５】
前記第１の無彩色インクはブラックインクであり、前記第２の無彩色インクは前記ブラックインクよりも明度が高いグレイインクであることを特徴とする請求項１乃至４のいずれか１項に記載のインクジェット記録方法。
【請求項６】
第１の無彩色インクおよび前記第１の無彩色インクとは異なる第２の無彩色インクを吐出可能な記録ヘッドを用いて、記録媒体の単位領域に対する複数回の走査中に画像を記録するインクジェット記録装置であって、 
画像を記録するためのモードに関する情報を取得する取得手段と、
前記取得手段において取得した前記情報に基づき、インク色毎に、前記単位領域に記録すべき画像データから前記複数回の走査に対応した複数のデータを生成するための複数のマスクパターンを設定する設定手段と
を備え、
前記設定手段は、前記モードがカラーモードである場合、前記複数回の走査の各々において、前記第１の無彩色インクに対応する画像データに設定される前記マスクパターンは、前記第２の無彩色インクに対応する画像データに設定される前記マスクパターンと記録許容画素の配置が同じであり、前記モードがモノクロモードである場合、前記複数回の走査のうち所定の走査において、前記第１の無彩色インクに対応する画像データに設定される前記マスクパターンは、前記第２の無彩色インクに対応する画像データに設定される前記マスクパターンと前記記録許容画素の配置が異なることを特徴とするインクジェット記録装置。
【請求項７】
前記モードがモノクロモードである場合、前記所定の走査において、前記第１の無彩色インクに対応する画像データに設定される前記マスクパターンの前記記録許容画素の配置は、前記第２の無彩色インクに対応する画像データに設定される前記マスクパターンの前記記録許容画素の配置と排他の関係にあることを特徴とする請求項６に記載のインクジェット記録装置。
【請求項８】
前記モードがモノクロモードである場合、前記所定の走査において、前記第１の無彩色インクに対応する画像データに設定される前記マスクパターンと、前記第２の無彩色インクに対応する画像データに設定される前記マスクパターンとの論理積によって得られる記録許容画素の配列パターンは、高周波数成分よりも低周波数成分が少ない特性を有することを特徴とする請求項６に記載のインクジェット記録装置。
【請求項９】
前記所定の走査は、前記複数回の走査の全ての走査であることを特徴とする請求項６乃至８のいずれか１項に記載のインクジェット記録装置。
【請求項１０】
前記第１の無彩色インクはブラックインクであり、前記第２の無彩色インクは前記ブラックインクよりも明度が高いグレイインクであることを特徴とする請求項６乃至９のいずれか１項に記載のインクジェット記録装置。
【請求項１１】
第１の無彩色インクおよび前記第１の無彩色インクとは異なる第２の無彩色インクを吐出可能な記録ヘッドを用いて、記録媒体の単位領域に対する複数回の走査中にモノクロ画像を記録するインクジェット記録方法であって、
インク色毎に前記単位領域に記録すべき画像データから前記複数回の走査に対応した複数のデータを生成するための複数のマスクパターンのうち、前記第１の無彩色インクに対応する画像データから所定の走査に対応するデータを生成するためのマスクパターンの記録許容画素の配置と、前記第２の無彩色インクに対応する画像データから前記所定の走査に対応するデータを生成するためのマスクパターンの前記記録許容画素の配置とは、異なる配置であることを特徴とするインクジェット記録方法。
【請求項１２】
第１の無彩色インクおよび前記第１の無彩色インクとは異なる第２の無彩色インクを吐出可能な記録ヘッドを用いて、記録媒体の単位領域に対する複数回の走査中にモノクロ画像を記録するインクジェット記録装置であって、
インク色毎に前記単位領域に記録すべき画像データから前記複数回の走査に対応した複数のデータを生成するための複数のマスクパターンのうち、前記第１の無彩色インクに対応する画像データから所定の走査に対応するデータを生成するためのマスクパターンの記録許容画素の配置と、前記第２の無彩色インクに対応する画像データから前記所定の走査に対応するデータを生成するためのマスクパターンの前記記録許容画素の配置とは、異なる配置であることを特徴とするインクジェット記録装置。
【請求項１３】
３種類以上の無彩色インクを吐出可能な記録ヘッドを用いて、記録媒体の単位領域に対する複数回の走査中にモノクロ画像を記録するインクジェット記録方法であって、
インクの種類毎に前記単位領域に記録すべき画像データから前記複数回の走査に対応した複数のデータを生成するための複数のマスクパターンのうち、各無彩色インクに対応する画像データから所定の走査に対応するデータを生成するためのマスクパターンの記録許容画素の配置は互いに異なる配置であることを特徴とするインクジェット記録方法。
【手続補正２】
【補正対象書類名】明細書
【補正対象項目名】００２１
【補正方法】変更
【補正の内容】
【００２１】
そのために本発明においては、第１の無彩色インクおよび前記第１の無彩色インクとは異なる第２の無彩色インクを吐出可能な記録ヘッドを用いて、記録媒体の単位領域に対する複数回の走査中に画像を記録するインクジェット記録方法であって、画像を記録するためのモードに関する情報を取得する取得工程と、前記取得工程において取得した前記情報に基づき、インク色毎に、前記単位領域に記録すべき画像データから前記複数回の走査に対応した複数のデータを生成するための複数のマスクパターンを設定する設定工程と、を有し、前記設定工程において、前記モードがカラーモードである場合、前記複数回の走査の各々において、前記第１の無彩色インクに対応する画像データに設定される前記マスクパターンは、前記第２の無彩色インクに対応する画像データに設定される前記マスクパターンと記録許容画素の配置が同じであり、前記モードがモノクロモードである場合、前記複数回の走査のうち所定の走査において、前記第１の無彩色インクに対応する画像データに設定される前記マスクパターンは、前記第２の無彩色インクに対応する画像データに設定される前記マスクパターンと前記記録許容画素の配置が異なることを特徴とする。
【手続補正３】
【補正対象書類名】明細書
【補正対象項目名】００２２
【補正方法】変更
【補正の内容】
【００２２】
また、第１の無彩色インクおよび前記第１の無彩色インクとは異なる第２の無彩色インクを吐出可能な記録ヘッドを用いて、記録媒体の単位領域に対する複数回の走査中に画像を記録するインクジェット記録装置であって、 画像を記録するためのモードに関する情報を取得する取得手段と、前記取得手段において取得した前記情報に基づき、インク色毎に、前記単位領域に記録すべき画像データから前記複数回の走査に対応した複数のデータを生成するための複数のマスクパターンを設定する設定手段とを備え、前記設定手段は、前記モードがカラーモードである場合、前記複数回の走査の各々において、前記第１の無彩色インクに対応する画像データに設定される前記マスクパターンは、前記第２の無彩色インクに対応する画像データに設定される前記マスクパターンと記録許容画素の配置が同じであり、前記モードがモノクロモードである場合、前記複数回の走査のうち所定の走査において、前記第１の無彩色インクに対応する画像データに設定される前記マスクパターンは、前記第２の無彩色インクに対応する画像データに設定される前記マスクパターンと前記記録許容画素の配置が異なることを特徴とする。
【手続補正４】
【補正対象書類名】明細書
【補正対象項目名】００２３
【補正方法】変更
【補正の内容】
【００２３】
また、第１の無彩色インクおよび前記第１の無彩色インクとは異なる第２の無彩色インクを吐出可能な記録ヘッドを用いて、記録媒体の単位領域に対する複数回の走査中にモノクロ画像を記録するインクジェット記録方法であって、インク色毎に前記単位領域に記録すべき画像データから前記複数回の走査に対応した複数のデータを生成するための複数のマスクパターンのうち、前記第１の無彩色インクに対応する画像データから所定の走査に対応するデータを生成するためのマスクパターンの記録許容画素の配置と、前記第２の無彩色インクに対応する画像データから前記所定の走査に対応するデータを生成するためのマスクパターンの前記記録許容画素の配置とは、異なる配置であることを特徴とする。
【手続補正５】
【補正対象書類名】明細書
【補正対象項目名】００２４
【補正方法】変更
【補正の内容】
【００２４】
さらに、第１の無彩色インクおよび前記第１の無彩色インクとは異なる第２の無彩色インクを吐出可能な記録ヘッドを用いて、記録媒体の単位領域に対する複数回の走査中にモノクロ画像を記録するインクジェット記録装置であって、インク色毎に前記単位領域に記録すべき画像データから前記複数回の走査に対応した複数のデータを生成するための複数のマスクパターンのうち、前記第１の無彩色インクに対応する画像データから所定の走査に対応するデータを生成するためのマスクパターンの記録許容画素の配置と、前記第２の無彩色インクに対応する画像データから前記所定の走査に対応するデータを生成するためのマスクパターンの前記記録許容画素の配置とは、異なる配置であることを特徴とする。
【手続補正６】
【補正対象書類名】明細書
【補正対象項目名】００２５
【補正方法】変更
【補正の内容】
【００２５】
更にまた、３種類以上の無彩色インクを吐出可能な記録ヘッドを用いて、記録媒体の単位領域に対する複数回の走査中にモノクロ画像を記録するインクジェット記録方法であって、インクの種類毎に前記単位領域に記録すべき画像データから前記複数回の走査に対応した複数のデータを生成するための複数のマスクパターンのうち、各無彩色インクに対応する画像データから所定の走査に対応するデータを生成するためのマスクパターンの記録許容画素の配置は互いに異なる配置であることを特徴とする。
【手続補正７】
【補正対象書類名】図面
【補正対象項目名】図１４
【補正方法】変更
【補正の内容】
【図１４】
2008273184.tif 000001